(57)【要約】【課題】有効画素領域において一様に段差成分を除去することが可能な固体撮像装置を提供する。【解決手段】撮像素子１１は、有効画素領域１２の両端に第１、第２のオプティカル・ブラック（ＯＢ）画素領域ＯＢ１、ＯＢ２を有している。Ａ／Ｄ変換器１７は、撮像素子１１の出力信号をアナログ／デジタル変換する。シフトレジスタ１９は、Ａ／Ｄ変換器の出力信号のうち、第１、第２のＯＢ画素領域に対応する信号を連続した信号として出力し、この後有効画素領域の信号を出力する。クランプ回路２５は、第１、第２のＯＢ画素領域に対応する信号をそれぞれ色画素毎に積算する積算器と、積算器の出力信号に基づき画素毎に含まれる段差信号成分を補正する補正信号を演算する演算器と、シフトレジスタから出力される有効画素領域の信号から補正信号を減算する減算器を有している。【選択図】図１
2009017036.tif 000002
【特許請求の範囲】
【請求項１】
有効画素領域の両端に第１、第２のオプティカル・ブラック画素領域を有する撮像素子と、
前記撮像素子の出力信号をアナログ／デジタル変換するＡ／Ｄ変換器と、
前記Ａ／Ｄ変換器の出力信号が供給され、前記第１、第２のオプティカル・ブラック画素領域に対応する信号を連続した信号として出力し、この後前記有効画素領域の信号を出力するシフトレジスタと、
前記シフトレジスタから出力される前記第１、第２のオプティカル・ブラック画素領域に対応する信号をそれぞれ色画素毎に積算する複数の積算器と、
複数の前記積算器の出力信号に基づき画素毎に含まれる黒レベルの差を補正するための補正信号を演算する演算器と、
前記シフトレジスタから出力される前記有効画素領域の信号から前記演算部から供給される前記補正信号を減算する減算器と
を具備することを特徴とする固体撮像装置。
【請求項２】
前記演算器は、前記有効画素領域の位置情報に応じて前記補正信号のレベルを変化させる第１の演算器を具備することを特徴とする請求項１記載の固体撮像装置。
【請求項３】
前記演算器は、前記複数の積算器の出力信号に基づき、１水平期間内の画素毎の黒レベルの差を平均することにより、前記有効画素領域の画素間に生じる黒レベルの差を補正する補正信号を演算する第２の演算器を具備することを特徴とする請求項１記載の固体撮像装置。
【請求項４】
前記演算器は、前記複数の積算器の出力信号に基づき、１水平期間内の左右端における黒レベルの差を平均することにより、前記有効画素領域の左右端に生じる黒レベルの差を補正する補正信号を演算する第３の演算器を具備することを特徴とする請求項１記載の固体撮像装置。
【請求項５】
前記減算器は、前記有効画素領域の信号から前記補正信号を減算することにより、信号の黒レベルの差を除去することを特徴とする請求項１記載の固体撮像装置。
【発明の詳細な説明】
【技術分野】
【０００１】
本発明は、例えばＣＭＯＳセンサ等の固体撮像素子を用いたカラービデオカメラのデジタル信号処理システムに係わり、特にデジタルＯＢ（オプティカル・ブラック）を補正する固体撮像装置に関する。
【背景技術】
【０００２】
例えばＣＭＯＳセンサ等のように、固体撮像素子を用いた従来の撮像装置において、ＯＢ画素領域は、一般に、有効画素領域（受光画素領域）の左端（水平方向の一端）、又は右端（水平方向の他端）のみに配置されている。このＯＢ画素領域の出力信号に基づき、黒レベルの差（以下、段差成分という）を検出し、この段差成分を有効画素領域の映像信号から減算することにより、黒レベルの段差成分を相殺している。ここで、黒レベルの段差成分とは、ＯＢ画素領域内のＲ，Ｇ、Ｂ（赤、緑、青）画素のレベルと、有効画素領域内のＲ，Ｇ、Ｂ画素の暗時の黒レベルが互いに異なっている場合、黒レベルに差が生じていることになり、この黒レベルの差を黒レベルの段差成分という。
【０００３】
ところで、ＯＢ画素領域の出力信号を色画素毎に分けてそれぞれ積算し、有効画素領域の色画素毎の出力信号から各積算結果を減算すれば、色画素毎に含まれる黒レベルの段差成分を相殺できそうである。
【０００４】
しかしながら、ＯＢ画素領域を有効画素領域の左端、又は右端のみに配置した従来の方式は、有効画素領域の左端と右端とで生じる段差成分を検出できない。このため、ＯＢ画素領域に近い有効画素領域においては正確なクランプ動作が可能であるが、ＯＢ画素領域から離れた有効画素領域においては正確なクランプ動作が困難となる。
【０００５】
近時、有効画素数の増加に伴い電源配線が長くなっている。電源は有効画素領域の例えば両端から供給されているが、電源の供給元から離れるに従って電源電圧が低下する。このため、有効画素領域のうち、ＯＢ画素領域の近傍の部分と、ＯＢ画素領域から離れた部分とでは電源電圧が異なり、黒レベルも相違する。したがって、有効画素領域の左右両端において、画素毎の段差成分が異なった場合、有効画素領域において一様なクランプ動作が困難となる。
【０００６】
尚、関連技術として、通常駆動と鏡像イメージを得る鏡動駆動を行う固体撮像装置において、有効画素領域の両端にＯＢ画素領域を設け、クランプパルスの出力タイミングが同じで同一のカラー信号処理により通常駆動と鏡動駆動を可能とした技術が開発されている（例えば、特許文献１参照）。
【特許文献１】特開平５−１６１１４６号公報
【発明の開示】
【発明が解決しようとする課題】
【０００７】
本発明は、有効画素領域において一様に段差成分を除去することが可能な固体撮像装置を提供しようとするものである。
【課題を解決するための手段】
【０００８】
本発明の態様に係る固体撮像装置は、有効画素領域の両端に第１、第２のオプティカル・ブラック画素領域を有する撮像素子と、前記撮像素子の出力信号をアナログ／デジタル変換するＡ／Ｄ変換器と、前記Ａ／Ｄ変換器の出力信号が供給され、前記第１、第２のオプティカル・ブラック画素領域に対応する信号を連続した信号として出力し、この後前記有効画素領域の信号を出力するシフトレジスタと、前記シフトレジスタから出力される前記第１、第２のオプティカル・ブラック画素領域に対応する信号をそれぞれ色画素毎に積算する複数の積算器と、複数の前記積算器の出力信号に基づき画素毎に含まれる黒レベルの差を補正するための補正信号を演算する演算器と、前記シフトレジスタから出力される前記有効画素領域の信号から前記演算部から供給される前記補正信号を減算する減算器とを具備することを特徴とする。
【発明の効果】
【０００９】
本発明によれば、有効画素領域において一様に段差成分を除去することが可能な固体撮像装置を提供できる。
【発明を実施するための最良の形態】
【００１０】
以下、本発明の実施の形態について、図面を参照して説明する。
【００１１】
図１は、本実施形態に適用される固体撮像装置の概略構成を示している。この固体撮像素子１１は、ｎ列（ｎは１以上の整数）の画素からなる有効画素領域１２と、有効画素領域１２の左側（水平方向の一端）に配置されたｍ列画素（ｍは１以上の整数で、ｍ＜ｎ）からなる第１のＯＢ画素領域ＯＢ１と、有効画素領域１２の右側（水平方向の他端）に配置されたｍ画素からなる第２のＯＢ画素領域ＯＢ２とにより構成されている。有効画素領域１２、及び第１、第２のＯＢ画素領域ＯＢ１、ＯＢ２は、例えば複数のフォトダイオードＰＤと、このフォトダイオードＰＤの選択回路がマトリクス状に配置されたＣＭＯＳセンサにより構成されている。各フォトダイオードＰＤ上に、Ｒ（赤），Ｇ（緑），Ｂ（青）などの色フィルタが配置されている。この色フィルタとしては、例えばベイヤー配列の色フィルタ、或いは縦ストライプ配列の色フィルタが適用される。第１、第２のＯＢ画素領域ＯＢ１、ＯＢ２は、例えばアルミニウム等の図示せぬ遮光部材により覆われている。
【００１２】
第１のＯＢ画素領域ＯＢ１、有効画素領域１２、第２のＯＢ画素領域ＯＢ２には、レンズを通った光学像が入射される。しかし、第１、第２のＯＢ画素領域ＯＢ１、ＯＢ２は、遮光されているため、この領域のフォトダイオードＰＤにより光電変換は行われない。光学像は、有効画素領域１２のフォトダイオードＰＤのみで光電変換され、受光量に応じた映像信号として出力される。この映像信号は、色フィルタの各色成分の光量に応じた映像信号である。
【００１３】
第２のＯＢ画素領域ＯＢの近傍には、信号読み出し用の垂直レジスタ（ＶＲＥＧ）１３及び図示せぬパルスセレクタ回路、蓄積時間制御用の垂直レジスタ等が配置されている。第１のＯＢ画素領域ＯＢ１、有効画素領域１２、第２のＯＢ画素領域ＯＢ２、及びＶＲＥＧ１３に沿って複数の電源配線１４が配置されている。これら電源配線１４は第１のＯＢ画素領域ＯＢ１側に設けられたパッド１５、又はＶＲＥＧ１３側に設けられたパッド１６に接続され、これらパッド１５、１６から電源配線１４に電源ＶＤＤが供給される。
【００１４】
第１のＯＢ画素領域ＯＢ１、有効画素領域１２、第２のＯＢ画素領域ＯＢ２の選択された各画素から読み出された１水平期間（１Ｈ）分の信号は、Ａ／Ｄ変換器１７に供給される。Ａ／Ｄ変換器１７は、基準電圧発生回路（ＶＲＥＦ）１８から供給される基準電圧に基づき各画素から供給された信号をデジタル信号に変換する。この変換された信号は、シフトレジスタ１９に供給される。このシフトレジスタ１９は、供給されたデジタル信号を１画素ずつシフトし、クランプ回路２０に出力する。クランプ回路２０は、第１、第２のＯＢ画素領域ＯＢ１、ＯＢ２からの画素信号に基づき補正信号としてのクランプ係数を算出し、算出したクランプ係数に基づき、有効画素領域１２から出力された色画素毎の信号の黒レベルをクランプする。
【００１５】
図２（ａ）は、シフトレジスタ１９に保持された信号を示している。シフトレジスタ１９は、図２（ａ）に示すように、第１のＯＢ画素領域ＯＢ１の出力信号ＳＯＢ１、有効画素領域１２から出力される映像信号ＩＳ、第２のＯＢ画素領域ＯＢ２の出力信号ＳＯＢ２を保持している。シフトレジスタ１９は、このように保持した信号を、所謂サーキュラシフト動作により、図２（ｂ）に示すように、先ず、第２のＯＢ画素領域ＯＢ２の出力信号ＳＯＢ２を出力し、次いで、第１のＯＢ画素領域ＯＢ１の出力信号ＳＯＢ１を出力し、最後に有効画素領域１２から出力される映像信号ＩＳを出力する。
【００１６】
図３は、シフトレジスタ１９の回路構成の一例を示している。シフトレジスタ１９は、例えば複数のセレクタ１９ａと、複数のフリップフロップ回路（ＦＦ）１９ｂと、アンド回路１９ｃにより構成されている。Ａ／Ｄ変換器１７の複数の出力信号は、複数のセレクタ１９ａの第１の入力端に供給される。各セレクタ１９ａの出力端は、次段のフリップフロップ回路１９ｂの入力端にそれぞれ接続され、各フリップフロップ回路１９ｂの出力端は、次段のセレクタ１９ａの第２の入力端に接続されている。最終段のフリップフロップ回路１９ｂの出力端は、先頭のセレクタ１９ａの第２の入力端に接続されるとともに、アンド回路１９ｃの第１の入力端に接続されている。各セレクタ１９ａは、選択信号Ｓにより第１、第２の入力端が切り換えられ、各フリップフロップ回路１９ｂにはクロック信号ＣＫが供給される。さらに、アンド回路１９ｃの第２の入力端には信号ＡＧが供給される。
【００１７】
図４は、図３に示すシフトレジスタ１９の動作を示している。選択信号Ｓがハイレベルとされると、セレクタ１９ａは、第１の入力端が選択され、フリップフロップ回路１９ｂにクロック信号ＣＫが供給されると、セレクタ１９ａを介してＡ／Ｄ変換器１７の複数の出力信号が対応する各フリップフロップ回路１９ｂに供給される。選択信号Ｓがローレベルとなると、各セレクタ１９ａは、第２の入力端が選択される。この状態において、例えばｍ＋ｎ個のクロック信号ＣＫが供給されると、シフトレジスタ１９内のデータがサーキュラシフトされ、図２（ｂ）に示す状態に配列される。この後、信号ＡＧがハイレベルとさされ、クロック信号ＣＫが供給されると、クロック信号ＣＫに応じてアンド回路１９ｃから、信号ＳＯＢ２、ＳＯＢ１、映像信号ＩＳの順に１Ｈ分の信号Ａｏｕｔが出力される。
【００１８】
図５は、クランプ回路２０の一例を示している。クランプ回路２０は、例えば第１乃至第４の積算器２１，２２，２３，２４、クランプ係数演算器２５、セレクタ２６、及び減算器２７により構成されている。第１乃至第４の積算器２１〜２４は、シフトレジスタ１９から出力される第２、第１のＯＢ画素領域ＯＢ２、ＯＢ１の信号ＳＯＢ２、ＳＯＢ１を色画素毎に積算する。すなわち、例えばベイヤー配列のフィルタの場合、Ｒ、Ｇｒに対応する色画素により構成された１Ｈ期間において、第２のＯＢ画素領域ＯＢ２に含まれるＲに対応する画素信号を第１の積算器２１で積算し、Ｇｒに対応する画素信号を第２の積算器２２で積算する。さらに、第１のＯＢ画素領域ＯＢ１に含まれるＲに対応する画素信号を第３積算器２３で積算し、Ｇｒに対応する画素信号を第４の積算器２４で積算する。
【００１９】
また、Ｇｂ，Ｂに対応する色画素により構成された次の１Ｈ期間において、第２のＯＢ画素領域ＯＢ２に含まれるＧｂに対応する画素信号を第１の積算器２１で積算し、Ｂに対応する画素信号を第２の積算器２２で積算する。さらに、第１のＯＢ画素領域ＯＢ１に含まれるＧｂに対応する画素信号を第３積算器２３で積算し、Ｂに対応する画素信号を第４の積算器２４で積算する。
【００２０】
第１乃至第４の積算器２１〜２４から出力される積算データＯＢＩ１〜ＯＢＩ４は、クランプ係数演算器２５に供給される。クランプ係数演算器２５は、積算データＯＢＩ１〜ＯＢＩ４に基づき、例えば３種類のクランプ係数を選択的に出力可能とされている。固体撮像素子は、例えば有効画素領域の位置に応じて段差成分が大きい素子、画素毎の段差成分が大きい素子、或いは有効画素領域の左右端における段差成分が大きい素子がある。クランプ係数演算器２５は、これら３種類の段差成分を補正可能なクランプ係数を演算可能とされている。３種類のクランプ係数は、セレクタ２６に供給される。セレクタ２６は、選択信号ＳＬに基づき、１つのクランプ係数を選択し出力する。選択信号ＳＬは、後述するように設定される。
【００２１】
減算器２７の第１の入力端には、シフトレジスタ１９から出力された有効画素領域１２からの映像信号ＩＳが供給され、第２の入力端にはセレクタ２６から出力された補正信号としてのクランプ係数が供給される。前述のように、シフトレジスタ１９から第２、第１のＯＢ画素領域ＯＢ２、ＯＢ１、有効画素領域１２からの映像信号の順序で信号が出力される。このため、第１乃至第４の積算器２１〜２４において、第２、第１のＯＢ画素領域ＯＢ２、ＯＢ１の信号を積算し、クランプ係数演算器２５によりクランプ係数を演算したタイミングで、減算器２７の第１の入力端に有効画素領域１２からの映像信号ＩＳが供給される。減算器２７は、第１の入力端に供給された映像信号ＩＳから第２の入力端に供給されたクランプ係数を減算する。このため、映像信号からクランプ係数が減算され、黒レベル＝“０”の映像信号が減算器２７から出力される。
【００２２】
図６は、第１乃至第４の積算器２１〜２４の回路構成の一例を示している。第１乃至第４の積算器２１〜２４は、同一構成であるため、第１の積算器２１により構成を説明し、第１の積算器２１と同一部分には同一符号を付す。
【００２３】
第１の積算器２１は、アンド回路２１ａ、加算器２１ｂ、及びレジスタ２１ｃにより構成されている。アンド回路２１ａの第１の入力端には、シフトレジスタ１９の出力信号ＳＯＢ２，ＳＯＢ１が供給され、第２の入力端には、選択信号Ｓ１が供給される。アンド回路２１ｂの出力信号は、加算器２１ｂの第１の入力端に供給される。加算器２１ｂの第２の入力端には、レジスタ２１ｃの出力信号が供給される。加算器２１ｂの出力信号はレジスタ２１ｃに供給される。レジスタ２１ｃには、加算器２１ｂで積算された積算データＯＢＩ１が保持される。
【００２４】
第２乃至第４の積算器２２〜２４の各アンド回路２１ａの第１の入力端には、シフトレジスタ１９の出力信号ＳＯＢ２，ＳＯＢ１が供給され、第２の入力端には、選択信号Ｓ２〜Ｓ４が供給される。第２乃至第４の積算器２２〜２４の各レジスタ２１ｃは、各加算器２１ｂで積算された積算データＯＢＩ２〜ＯＢＩ４を保持する。
【００２５】
図７は、図６に示す選択信号Ｓ１〜Ｓ４と色画素との関係を示している。第１乃至第４の積算器２１〜２４は、選択信号Ｓ１〜Ｓ４に基づき、第２のＯＢ画素領域ＯＢ２、第１のＯＢ画素領域ＯＢ１から対応する画素信号を選択し積算する。
【００２６】
図８は、クランプ係数演算器２５の一例を示している。クランプ係数演算器２５は、前述したように３種類のクランプ係数を演算するため、第１乃至第３のクランプ係数演算器２５−１、２５−２、２５−３を有している。
【００２７】
第１のクランプ係数演算器２５−１は、減算器２５ａ，２５ｂ、乗算器２５ｃ、２５ｅ，加算器２５ｄ、２５ｆ、除算器２５ｇ、２５ｈ、及びセレクタ２５ｉにより構成されている。第１のクランプ係数演算器２５−１は、下記式（１）（２）に基づき有効画素領域内の位置に応じたクランプ係数を演算する。
【００２８】
Ｒ／Ｇｂ画素係数＝（ｎ＊（ＯＢＩ１−ＯＢＩ３）＋ＯＢＩ３）／ｍ    …（１）
Ｇｒ／Ｂ画素係数＝（ｎ＊（ＯＢＩ２−ＯＢＩ４）＋ＯＢＩ４）／ｍ    …（２）
但し、ｎは、有効画素領域内の位置を表し（ｎ＝０：有効左端〜１：有効右端），
ｍは、第１又は第２のＯＢ画素領域の画素数を表す。
【００２９】
式（１）において、例えばｎ＝０の場合、有効画素領域の左端、すなわち、第３の積算器２３の積算データＯＢＩ３が出力され、例えばｎ＝１の場合、有効画素領域の右端、すなわち、第１の積算器２１の積算データＯＢＩ１が出力される。ｎの値が０＜ｎ＜１である場合、有効画素領域内の位置に応じた第１、第３の積算データＯＢ１、ＯＢ３の比率により係数が求められる。ここで、ｎの値は例えば０〜１の間で２５６個の値に設定される。図８の除算器２５ｇ、２５ｈのから出力されるクランプ係数は、有効画素領域の位置情報（ｎ）に応じて、セレクタ２５ｉによって選択され出力される。
【００３０】
第２のクランプ係数演算器２５−２は、例えば加算器２５ｊ、２５ｋ、減算器２５ｌ、及び除算器２５ｍにより構成されている。第２のクランプ係数演算器２５−２は、次式（３）に基づく動作により、画素毎の段差成分の１Ｈの平均値ＡＶ１を演算する。この平均値ＡＶ１は、１Ｈ内の画素毎の黒レベルの段差成分の平均値を示しており、有効画素領域の画素毎の段差成分を補正するためのクランプ係数となる。
【００３１】
ＡＶ１＝（（ＯＢＩ１＋ＯＢＩ３）−（ＯＢＩ２＋ＯＢＩ４））／２      …（３）
第３のクランプ係数演算器２５−３は、例えば加算器２５ｎ、２５ｏ、減算器２５ｐ、及び除算器２５ｑにより構成されている。第３のクランプ係数演算器２５−３は、次式（４）に基づく動作により、左右端の段差成分の１Ｈの平均値ＡＶ２を演算する。この平均値ＡＶ２は、１Ｈ内の左右端における黒レベルの段差成分の平均値を示しており、有効画素領域の左右端の段差成分を補正するためのクランプ係数となる。
【００３２】
ＡＶ２＝（（ＯＢＩ１＋ＯＢＩ２）−（ＯＢＩ３＋ＯＢＩ４））／２      …（４）
セレクタ２６は、固体撮像素子のテスト結果に応じて、第１乃至第３のクランプ係数演算器２５−１、２５−２、２５−３から出力されるクランプ係数のうちの１つを選択する。このセレクタ２６から出力されるクランプ係数は減算器２７の第２の入力端に供給される。セレクタ２６の切換は、出荷前に選択信号ＳＬを用いて設定される。
【００３３】
上記のようにして、演算された３つのクランプ係数から固体撮像素子のテスト結果に応じて、セレクタ２６により１つのクランプ係数が選択され、この選択されたクランプ係数が映像信号から減算される。このため、固体撮像素子固有の段差成分を補正することができ、黒レベルが“０”の映像信号を出力することができ、画質を向上することができる。
【００３４】
上記実施形態によれば、固体撮像素子１１の有効画素領域１２の左右両側に第１、第２のＯＢ画素領域ＯＢ１、ＯＢ２を設け、１Ｈ期間の最初に第１、第２のＯＢ画素領域ＯＢ１、ＯＢ２の信号を読み出し、この読み出した信号ＳＯＢ１、ＳＯＢ２からクランプ係数を演算し、このクランプ係数を有効画素領域１２から出力された映像信号ＩＳより減算している。このため、固体撮像素子の画素数が多くなった場合においても、有効画素領域１２から出力された映像信号の黒レベルを“０”にクランプすることができるため、画質を向上することができる。
【００３５】
また、シフトレジスタ１９を用いて、有効画素領域１２の左右両側に設けられた第１、第２のＯＢ画素領域ＯＢ１、ＯＢ２からの信号ＳＯＢ１、ＳＯＢ２を映像信号より先に出力可能としている。このため、信号ＳＯＢ１、ＳＯＢ２からクランプ係数を直ちに演算することができる。したがって、例えばラインメモリを用いて映像信号を１Ｈ遅延させる必要がないため、回路規模の大型化を抑制することができる。
【００３６】
さらに、クランプ係数演算器２５は、３種類のクランプ係数を演算可能とされており、固体撮像素子のテスト結果に基づき、有効画素領域の位置、画素間、左右端に含まれる３つの段差成分に対応して、３種類のクランプ係数から１つのクランプ係数を選択可能としている。したがって、固体撮像素子の特性に応じて最適なクランプ係数を設定することができるため、画質を向上することができる。
【００３７】
しかも、第１のクランプ係数演算器２５−１によれば、有効画素領域の位置に応じてクランプ係数を可変しているため、有効画素領域において、高精度に黒レベルをクランプすることができる。
【００３８】
また、一般に、有効画素領域に過大な光が入射した場合、受光画素が飽和し、隣接するＯＢ画素領域へ信号が漏れ込む現象が発生する。この場合、ＯＢ画素領域の信号を元に映像信号をクランプする回路は、正確なクランプ係数を算出することが困難となる。このため、画質が劣化することが多い。しかし、上記実施形態のように、ＯＢ画素領域を有効画素領域の左右両側に配置してクランプ係数を算出する場合、上記従来の場合に比べて正常なクランプ係数を算出できる確率が向上する。このため、画質の劣化を抑制することができる。
【００３９】
尚、本発明は上記実施形態に限定されるものではない。
【００４０】
図９は、図８に示す第１のクランプ係数演算器２５−１の他の例を示している。図８に示す第１のクランプ係数演算器２５−１は、隣接する両色画素毎にクランプ係数をそれぞれ演算した後、画素の位置情報（ｎ）に応じて、セレクタ２５ｉにより一方のクランプ係数を選択した。
【００４１】
これに対して、図９に示す第１のクランプ係数演算器２５−１は、演算前に隣接する色画素の一方を選択し、選択した色画素のクランプ係数を演算している。すなわち、図９に示す第１のクランプ係数演算器２５−１は、セレクタ２５ｒ、２５ｓ、減算器２５ｔ、乗算器２５ｕ，加算器２５ｖ、除算器２５ｗにより構成されている。セレクタ２５ｒ、２５ｓは、画素の位置情報（ｎ）に応じて、第１乃至第４の積算器２１〜２４の出力信号ＯＢＩ１〜ＯＢＩ４のうちから、式（１）のＲ／Ｇｂ画素係数の演算に必要な信号ＯＢＩ１、ＯＢＩ３を選択したり、Ｇｒ／Ｂ画素係数の演算に必要な信号ＯＢＩ２、ＯＢＩ４を選択したりする。セレクタ２５ｒ、２５ｓにより選択された信号ＯＢＩ１、ＯＢＩ３、又は信号ＯＢＩ２、ＯＢＩ４は、減算器２５ｔ、乗算器２５ｕ，加算器２５ｖ、除算器２５ｗに順次供給される、これら減算器２５ｔ、乗算器２５ｕ，加算器２５ｖ、除算器２５ｗが式（１）に基づき動作するにより、Ｒ／Ｇｂ画素係数、Ｇｒ／Ｂ画素係数が演算される。これら係数は、セレクタ２６を介して減算器２７に供給される。
【００４２】
図９に示す回路によっても、図８に示す回路と同様にクランプ係数を演算することができる。しかも、図９に示す回路によれば、図８に示す回路よりチップ占有面積を削減することができる。
【００４３】
また、上記実施形態において、色フィルタはベイヤー配列を例に説明した。しかし、これに限らず、Ｒ，Ｇ，Ｂの縦ストライプ配列の色フィルタを用いることも可能である。この場合、クランプ回路は６個の積算器と、６個の積算器の出力信号からクランプ係数を出力するクランプ係数演算器により構成すればよい。
【００４４】
その他、本発明は、要旨を変えない範囲において種々変形実施可能なことは勿論である。
【図面の簡単な説明】
【００４５】
【図１】本実施形態に適用される固体撮像装置を示す概略構成図。
【図２】図２（ａ）は、シフトレジスタに保持された信号とシフト動作を示す図、図２（ｂ）は、シフト動作後のシフトレジスタの信号を示す図。
【図３】シフトレジスタの一例を示す回路図。
【図４】図３に示すシフトレジスタの動作を示すタイミングチャート。
【図５】クランプ回路の一例を示す構成図。
【図６】図５に示す第１乃至第４の積算器の一例を示す回路図。
【図７】図６の動作を示す図。
【図８】図５に示すクランプ係数演算器の一例を示す回路図。
【図９】図８に示す第１のクランプ係数演算器の他の例を示す回路図。
【符号の説明】
【００４６】
１１…固体撮像素子、１２…有効画素領域、ＯＢ１、ＯＢ２…第１、第２のＯＢ画素領域、１７…Ａ／Ｄ変換器、１９…シフトレジスタ、２０…クランプ回路、２１，２２，２３，２４…第１乃至第４の積算器、２５…クランプ係数演算器、２６…セレクタ、２７…減算器、２５−１、２５−２、２５−３…第１乃至第３のクランプ係数演算器。
【図１】
2009017036.tif 000003
【図２】
2009017036.tif 000004
【図３】
2009017036.tif 000005
【図４】
2009017036.tif 000006
【図５】
2009017036.tif 000007
【図６】
2009017036.tif 000008
【図７】
2009017036.tif 000009
【図８】
2009017036.tif 000010
【図９】
2009017036.tif 000011